(57)【要約】【課題】温風の当て方により部分的に温度偏差ができ易いことを考慮しながら、非接触温度センサを用いて、感光体に温風を当てて暖めるさいの感光体温度を正確に検知する画像形成装置を提供することにある。【解決手段】感光体１に温風を送風する送風手段３と、前記感光体１の温度を非接触で検知する温度検知手段１３とを有する画像形成装置において、前記温度検知手段１３を温風が当らない位置に配置する画像形成装置。【選択図】        図１
2004184700.tif 000002
【特許請求の範囲】
【請求項１】
感光体に温風を送風する送風手段と、前記感光体の温度を非接触で検知する温度検知手段とを有する画像形成装置において、前記温度検知手段を温風が当らない位置に配置することを特徴とする画像形成装置。
【請求項２】
前記温度検知手段を、前記感光体に温風が当っている位置で熱源から一番近い位置近傍の温度を検知する位置に配置することを特徴とする請求項１記載の画像形成装置。
【発明の詳細な説明】
【０００１】
【発明の属する技術分野】
本発明は、感光体の温度を非接触で検知する非接触温度センサを用いた画像形成装置に関するものである。
【０００２】
【従来の技術】
感光体を暖める技術としては、定着装置を熱源として使用する方法（例えば、特許文献１および２参照）や、温風を当てる方法（例えば、特許文献３および４参照）などが提案されている。また、非接触温度センサの出力は環境温度の影響を受けることも知られている（例えば、特許文献５参照）。
【０００３】
【特許文献１】
特開平６−１３０７７１号公報
【特許文献２】
特開平１０−２５４３３０号公報
【特許文献３】
特開平５−２５７３５９号公報
【特許文献４】
特開平６−１９２４６号公報
【特許文献５】
特開平９−２８１８４３号公報
【０００４】
【発明が解決しようとする課題】
上記従来技術では、電子写真方式を用いた、複写機、プリンタなどに像担時体として使用される、感光体は高寿命化を図るために、有機感光層上に保護層を設け耐久性を上げている。
【０００５】
感光体には従来から表面に放電生成物や転写紙成分が付着することが知られており、これらが感光体に付着し、吸湿すると低抵抗化するため、画像流れなどの異常画像が発生することが知られている。
【０００６】
従来の有機感光体などは稼動中にクリーニングブレードや現像剤との摩擦により、感光体の摩耗にともない付着物も除かれるため像流れなどの異常画像は発生しなかった。
【０００７】
摩耗量を減らした高耐久性の感光体は放電生成物などの付着物が削り取られることが少なく、画像流れなどの異常画像が発生しやすくなる。以上の像流れは感光体を暖め吸湿した水分を除湿することで解消される。
【０００８】
従来例においては、面状式のヒータを感光体素管の内側に装着する方法が広く用いられており、また、定着装置を熱源として使用する方法（特許文献１および２）や、温風をあてる方法（特許文献３および４）などが提案されている。
【０００９】
感光体温度を所定温度以上に上昇させないように、あるいは一定温度に保つように温度センサが設置される。この温度センサは接触式であったり、感光体近傍の雰囲気温度を検知する方式などがある。
【００１０】
接触式では感光体に傷が付く危険があるという欠点があり、雰囲気温度を検知する方式は、感光体そのものの温度を検知していないため、誤差が大きくなる欠点があった。
【００１１】
そのため、感光体に傷が付く危険もなく、感光体自体の温度を測定できる、非接触温度センサで感光体温度を検知する方式が望ましい。非接触温度センサとしては赤外線温度センサがある。ただし、非接触温度センサの出力は特許文献５に記載されているように、環境温度の影響を受けることが知られている。
【００１２】
本発明の目的は、上記の問題点を解決するために、温風のあて方により部分的に温度偏差ができ易いことを考慮しながら、非接触温度センサを用いて、感光体に温風を当てて暖めるさいの感光体温度を正確に検知する画像形成装置を提供することにある。
【００１３】
【課題を解決するための手段】
前記の課題を解決するために、請求項１記載の発明では、感光体に温風を送風する送風手段と、前記感光体の温度を非接触で検知する温度検知手段とを有する画像形成装置において、前記温度検知手段を温風が当らない位置に配置する画像形成装置を最も主要な特徴とする。
【００１４】
請求項２記載の発明では、前記温度検知手段を、前記感光体に温風が当っている位置で熱源から一番近い位置近傍の温度を検知する位置に配置する請求項１記載の画像形成装置を主要な特徴とする。
【００１５】
【発明の実施の形態】
以下、図面により本発明の実施の形態を詳細に説明する。図１は本発明の画像形成装置の感光体周辺を切り欠いて示す概略斜視図である。感光体１はアルミナを含有したＣＴＬ（キャリヤ輸送層）を最表面に保護層としている直径１００ｍｍ、長さ３６０ｍｍのＯＰＣ（有機感光体）である。
【００１６】
画像形成装置正面からみて右横に吸込み口２を設け、この吸込み口２には防塵フィルタ２ａを配置している。シロッコファン３（図では感光体冷却ファン）を用いてこの吸込み口２より空気を取り入れ、ダクト５内に送風する。
【００１７】
ダクト５内には、まずヒータ４があり、その先でダクト６および７により２方向に分流している。分流した一方は感光体１内に送風される。感光体１のフランジ１ａには空気が通るように孔１ｂが設けられている。分流した他方は感光体１の長手方向、作像幅全幅分の開口部を設けたダクト８を介し、感光体１表面に送風される。
【００１８】
本実施の形態においては、メインスイッチ（図示せず）オン時の定着温度が１００℃以下であって、定着ヒータが３本点灯から２本点灯になった時点で発熱体に通電するようにしている。
【００１９】
定着温度が１００℃になった時点で、シロッコファン３を稼動し、送風を開始する。シロッコファン３のオンより２秒後に発熱体に電力を供給する。図１には帯電チャージャ９、トナーフィルタ１０、排出用シロッコファン１１およびフィルタ１２が示してある。
【００２０】
また定着温度が１００℃になった時点で、感光体１廻りを通常作像状態で駆動させる。本実施の形態では帯電電位−８００Ｖ、現像バイアス−５５０Ｖにて各作像ユニットを駆動している。
【００２１】
作像ユニットと発熱体、シロッコファン３は定着温度が１００℃になった時点よりおよそ３分間稼動する。ただしその間、発熱体への電力の供給とシロッコファン３は、温度センサによるＯＰＣ検知温度が４５℃になった場合に停止し、温度が低下し４０℃以下になった場合に再び供給、駆動される。
【００２２】
このように感光体温度を検知しながら電力のオン／オフを制御しているが、温風が温度センサに直接当ってしまうと、温度センサの雰囲気温度が上昇してしまうため、公知例のように検知温度がずれてしまう。
【００２３】
図２は本発明の画像形成装置における非接触温度センサの配置を示す概略図である。本実施の形態では放射赤外線検知方式の非接触温度センサ１３を温風が当らないように図に示す位置に配置している。
【００２４】
図２は画像形成装置を正面から見た図であり、非接触温度センサ１３は画像形成装置奥側に配置されている。感光体１に隣接して現像装置１８の第２スリーブ１４、パドルローラ１５、温度センサ１６および攪拌口１７が示してある。
【００２５】
温風が当らない位置に非接触温度センサ１３を配置することにより、感光体１の温度を正確に検知できるようになり、感光体１の暖め過ぎや加温不足がなくなった。
【００２６】
図３は本発明の画像形成装置を感光体廻りから見た概略正面図である。温風は送風口１９から感光体１の内部に送風される。また図１に示したよう、ＯＰＣ表面からも暖めているが、感光体１内部の方が、ヒータ４から近いため、感光体１は長手方向奥側で感光体１上部の送風口１９の近辺の温度が最も早く高くなる。
【００２７】
感光体１の温度は、温度による感光体特性の劣化、クリーニングブレード（図示せず）の巻き込み等を避けるため所定温度以上にしてはならない。そのため面状ヒータであればほぼ均一に感光体１は暖まるが、温風で暖める場合にはある程度の温度ムラが発生してしまう。
【００２８】
そのため本実施の形態のように、一番温度上昇する位置の温度を検知することで、過度の温度上昇を防ぐことができる。図において、非接触温度センサ１３の位置を理解するために、現像装置１８、帯電チャージャ９および感光体の軸２０が示してある。
【００２９】
【発明の効果】
以上説明したように、請求項１によれば、非接触温度センサに直接温風が当らないように配置することによって、雰囲気温度による非接触温度センサの出力誤差を小さくでき、正確な温度検知を行うことができる。
【００３０】
請求項２によれば、感光体に温風が当っている位置で熱源から一番近い位置近傍の温度を検知することで、感光体の最高温度を検知できるため感光体の劣化などを防止できる。
【図面の簡単な説明】
【図１】本発明の画像形成装置の感光体周辺を切り欠いて示す概略斜視図である。
【図２】本発明の画像形成装置における非接触温度センサの配置を示す概略図である。
【図３】本発明の画像形成装置を感光体廻りから見た概略正面図である。
【符号の説明】
１  感光体
３  シロッコファン（感光体冷却ファン、送風手段）
４  ヒータ（熱源）
１３  非接触温度センサ（温度検知手段）
【図１】
2004184700.tif 000003
【図２】
2004184700.tif 000004
【図３】
2004184700.tif 000005